(57)【特許請求の範囲】
【請求項１】
プリンタの筐体に開閉自在に設けられたドア部を閉じた状態にロックするための、当該筐体に第１の支点軸を介して回転自在に取り付けられたドアロック機構と、
上記ドアロック機構に、上記第１の支点軸と平行な第２の支点軸を介して回転自在に取り付けられたローラ圧着機構と、
上記ドアロック機構及び上記ローラ圧着機構間に掛け渡された弾性部材と
を具え、
上記ドアロック機構は、
当該ドアロック機構の一端側に、上記ドア部に設けられた突起部が嵌め込まれるための切り欠き部を有し、当該ドアロック機構の他端側に、上記弾性部材が取り付けられた第１の取り付け部を有し、
上記ローラ圧着機構は、
当該ローラ圧着機構の一端側に、上記ドア部に設けられたプラテンに印画媒体を巻きつけるためのローラを回転自在に保持し、当該ローラ圧着機構の他端側に、上記弾性部材が取り付けられた第２の取り付け部を有し、
上記第２の支点軸は、
上記ドアロック機構の上記切り欠き部を有する一端と上記第１の取り付け部を有する他端との間である中央部分の所定位置と、上記ローラ圧着機構の上記ローラを保持する一端と上記第２の取り付け部を有する他端との間である中央部分の所定位置とを回転中心とする軸であり、
上記ドア部が閉じた状態の際には、
上記突起部が上記切り欠き部に嵌め込まれると共に、上記ドアロック機構が、上記弾性部材により上記突起部の嵌め込みを保持する回転方向に付勢されることにより、上記ドア部が閉じた状態にロックされ、
上記ローラ圧着機構が、上記弾性部材により上記ドアロック機構の回転方向と相対する回転方向に付勢されることにより、上記ローラが上記プラテンに圧着される
ドアロック及びローラ圧着装置。
【請求項２】
上記突起部の嵌め込みを保持する回転方向と相対する回転方向への回転力を上記ドアロック機構に加えることにより、上記ロックを解除し上記ドア部を開いた状態にする駆動機構
を具える請求項１に記載のドアロック及びローラ圧着装置。
【請求項３】
上記弾性部材は、
上記ドアロック機構及び又は上記ローラ圧着機構に対する取り付け位置を自在に変更できるように、上記ドアロック機構及び上記ローラ圧着機構間に掛け渡された
請求項１に記載のドアロック及びローラ圧着装置。
【請求項４】
上記弾性部材は、
圧縮コイルばねでなる
請求項１に記載のドアロック及びローラ圧着装置。
【請求項５】
筐体と、
上記筐体に開閉自在に設けられたドア部と、
上記ドア部を閉じた状態にロックするための、上記筐体に第１の支点軸を介して回転自在に取り付けられたドアロック機構と、
上記ドアロック機構に、上記第１の支点軸と平行な第２の支点軸を介して回転自在に取り付けられたローラ圧着機構と、
上記ドアロック機構及び上記ローラ圧着機構間に掛け渡された弾性部材と
を具え、
上記ドアロック機構は、
当該ドアロック機構の一端側に、上記ドア部に設けられた突起部が嵌め込まれるための切り欠き部を有し、当該ドアロック機構の他端側に、上記弾性部材が取り付けられた第１の取り付け部を有し、
上記ローラ圧着機構は、
当該ローラ圧着機構の一端側に、上記ドア部に設けられたプラテンに印画媒体を巻きつけるためのローラを回転自在に保持し、当該ローラ圧着機構の他端側に、上記弾性部材が取り付けられた第２の取り付け部を有し、
上記第２の支点軸は、
上記ドアロック機構の上記切り欠き部を有する一端と上記第１の取り付け部を有する他端との間である中央部分の所定位置と、上記ローラ圧着機構の上記ローラを保持する一端と上記第２の取り付け部を有する他端との間である中央部分の所定位置とを回転中心とする軸であり、
上記ドア部が閉じた状態の際には、
上記突起部が上記切り欠き部に嵌め込まれると共に、上記ドアロック機構が、上記弾性部材により上記第１の支点軸を支点として上記突起部の嵌め込みを保持する回転方向に付勢されることにより、上記ドア部が閉じた状態にロックされ、
上記ローラ圧着機構が、上記弾性部材により上記ドアロック機構の回転方向と相対する回転方向に付勢されることにより、上記ローラが上記プラテンに圧着される
プリンタ装置。
【請求項６】
上記突起部の嵌め込みを保持する回転方向と相対する回転方向への回転力を上記ドアロック機構に加えることにより、上記ロックを解除し上記ドア部を開いた状態にする駆動機構
を具える請求項５に記載のプリンタ装置。
【発明の詳細な説明】
【０００１】
【発明の属する技術分野】
本発明はドアロック及びローラ圧着装置、並びにプリンタ装置に関し、例えばプリントメディア（印画媒体）として、帯状の印画紙や印画フィルム等のプリントメディアをロール状に巻回したもの（以下、これをロール状プリントメディアと呼ぶ）を用いるようになされたプリンタに適用して好適なものである。
【０００２】
【従来の技術】
従来、この種のプリンタとして例えば図１５〜図１７に示すように構成されたものがある。かかるプリンタ１においては、筐体２の前部に開閉自在にドア部３が設けられると共に、当該ドア部３の内側に図示しない軸受けにより矢印ｙ1 方向と平行にかつ回転自在に枢支されたプラテン５と、ペーパトレイ４とが設けられている。
【０００３】
そしてこのプリンタ１では、ロール状プリントメディア６を、その先端部をプラテン５を介してドア部３の外側にまで引き出した状態でペーパトレイ４内に置いた後ドア部３を閉じるようにして筐体２内部に装填するようになされている。
【０００４】
また筐体２の内部には、矢印ｙ1 方向の両端部をそれぞれ筐体２の左右の各内側壁面とそれぞれ平行に屈曲してなるコ字状のドアロック用アーム７が支点軸８を中心として回転自在に配設されている。
【０００５】
この場合ドアロック用アーム７は、各屈曲部７Ａ、７Ｂの後端部がそれぞれ第１の圧縮コイルばね９によって下方向に付勢されており、通常時には図示しないドア開閉レバーに固定されたストッパ１０により規制される回転位置に位置する一方、必要に応じて支点軸８を中心として矢印ａ方向に回転させることができるようになされている。
【０００６】
さらにドアロック用アーム７の各屈曲部７Ａ、７Ｂの先端部にはテーパ部７Ｃ及び切欠き７Ｄが設けられると共に、ドア部３の左右の各外側面にはそれぞれロック用アーム７の各屈曲部７Ａ、７Ｂのテーパ部７Ｃにそれぞれ対応させてロック用軸１１Ａ、１１Ｂが植設されている。
【０００７】
これによりこのプリンタ１においては、図１５のようにドア部３が開いた状態からユーザが当該ドア部３を閉じてゆくときに、図１６のようにドア部３の各ロック用軸１１Ａ、１１Ｂがそれぞれドアロック用アーム７の対応する屈曲部７Ａ、７Ｂのテーパ部７Ｃと接触し、この後これらロック用軸１０Ａ、１０Ｂがこれら屈曲部７Ａ、７Ｂを下方向（矢印ｚ1 と逆方向）に押し下げながら当該屈曲部７Ａ、７Ｂのテーパ部７Ｃを摺動し、やがてドア部３が閉じた状態となったときに図１７のように各ロック用軸１１Ａ、１１Ｂがそれぞれ対応する屈曲部７Ａ、７Ｂの切欠き７Ｄに嵌まり込むことにより、ドア部３を閉じた状態にロックすることができるようになされている。
【０００８】
また筐体２の内部には、矢印ｙ1 方向の両端部がそれぞれ筐体２の左右の各内側壁面と平行に屈曲されたコ字状のローラ圧着用アーム１２が支点軸８を中心として回転自在に配設されている。
【０００９】
この場合ローラ圧着用アーム１２は、各屈曲部１２Ａ、１２Ｂの後端部がそれぞれ第２の圧縮コイルばね１３によって下方向に付勢されており、かくして通常時にはドアロック用アーム７の各屈曲部７Ａ、７Ｂにそれぞれ屈曲形成されたストッパ７Ｅにより規制される回転位置に位置する一方、必要に応じて支点軸８を中心として矢印ａ方向に回転させることができるようになされている。
【００１０】
またローラ圧着用アーム１２の各屈曲部１２Ａ、１２Ｂの先端部間には、シャフト１４がプラテン５と平行かつ回転自在に架ける渡されると共に、ペーパトレイ４の左右の各外側面にはそれぞれシャフト１４に対応させて切欠き４Ａ、４Ｂが設けられている。
【００１１】
これによりこのプリンタ１においては、図１５のようにドア部３が開いた状態から閉じられてゆくときに、シャフト１４の長手方向の両端部がそれぞれペーパトレイ４の対応する切欠き４Ａ、４Ｂに嵌まり込み、ドア部３が閉じた状態となったときに図１７のようにシャフト１４がプラテン５に圧着するようになされている。
【００１２】
【発明が解決しようとする課題】
ところがかかる構成のプリンタ１においては、上述のようにドアロック用アーム７及びローラ圧着用アーム１２のために第１及び第２の圧縮コイルばね９、１３をそれぞれ２本ずつ必要とし、その分プリンタ１全体としての構成が複雑化したり、組立作業が煩雑化する問題があった。
【００１３】
またかかる構成のプリンタ１においては、ドアロック用アーム７やローラ圧着用アーム１２に与えるばね圧を変える際には第１又は第２の圧縮コイルばね９、１３を掛ける位置を変えたり、第１又は第２の圧縮コイルばね９、１３をばね定数の異なるものと交換するなどの処置が必要となるが、これらをそれぞれ個別に行わなければならないために、このようなメンテナンス作業が煩雑化する問題があった。
【００１４】
さらに従来のプリンタ１では、図１８及び図１９に示すように、筐体２の前面部にパワースイッチ１４が設けられており、当該パワースイッチ１４が連結棒１５を介して筐体２内部のプリント配線板１６上に実装された本スイッチ１７と連結されている。
【００１５】
この場合、連結棒１５においては、筐体２内部の左上隅部に沿って位置する直線部１５Ａの後端部に当該直線部１５Ａの一部を下方向に屈曲してなる第１の屈曲部１５Ｂが設けられると共に、その下端部に当該第１の屈曲部１５Ｂを右方向（矢印ｙ1 と逆方向）に屈曲してなる第２の屈曲部１５Ｃが設けられ、かつその先端前部に当該第２の屈曲部１５Ｃを下方向に屈曲してなる第３の屈曲部１５Ｄが設けられることにより構成されている。
【００１６】
そして第３の屈曲部１５Ｄには、本スイッチ１７の操作軸１８と接続されており、かくしてパワースイッチ１４を押圧操作することによって本スイッチ１７をオン／オフすることができるようになされている。
【００１７】
ところがかかる従来の連結棒の構成によると、図１８及び図１９において明らかなように、本スイッチ１７の前部に連結棒１５の第２の屈曲部１５Ｃが位置するために、プリント配線板１６におけるこの部分に背が高い電子部品を搭載することができず、プリント配線板１６を有効利用できない問題があった。
【００１８】
本発明は以上の点を考慮してなされたもので、構成を簡易化し得るドアロック及びローラ圧着装置、並びにプリンタ装置を提案しようとするものである。
【００１９】
【課題を解決するための手段】
かかる課題を解決するため本発明においては、ドアロック及びローラ圧着装置において、プリンタの筐体に開閉自在に設けられたドア部を閉じた状態にロックするための、当該筐体に第１の支点軸を介して回転自在に取り付けられたドアロック機構と、ドアロック機構に、第１の支点軸と平行な第２の支点軸を介して回転自在に取り付けられたローラ圧着機構と、ドアロック機構及びローラ圧着機構間に掛け渡された弾性部材とを設け、ドアロック機構は、当該ドアロック機構の一端側に、ドア部に設けられた突起部が嵌め込まれるための切り欠き部を有し、当該ドアロック機構の他端側に、弾性部材が取り付けられた第１の取り付け部を有し、ローラ圧着機構は、当該ローラ圧着機構の一端側に、ドア部に設けられたプラテンに印画媒体を巻きつけるためのローラを回転自在に保持し、当該ローラ圧着機構の他端側に、弾性部材が取り付けられた第２の取り付け部を有し、第２の支点軸は、ドアロック機構の切り欠き部を有する一端と第１の取り付け部を有する他端との間である中央部分の所定位置と、ローラ圧着機構のローラを保持する一端と第２の取り付け部を有する他端との間である中央部分の所定位置とを回転中心とする軸であり、ドア部が閉じた状態の際には、突起部が切り欠き部に嵌め込まれると共に、ドアロック機構が、弾性部材により突起部の嵌め込みを保持する回転方向に付勢されることにより、ドア部が閉じた状態にロックされ、ローラ圧着機構が、弾性部材によりドアロック機構の回転方向と相対する回転方向に付勢されることにより、ローラがプラテンに圧着されるようにした。
【００２０】
この結果このドアロック及びローラ圧着装置では、１つの弾性部材によって、ドアロック機構に対して突起部の嵌め込みを保持する回転方向の回転力を与えることができると共に、ローラ圧着機構に対してローラをプラテンに圧着する回転方向の回転力を与えることができる。
【００２１】
また本発明においては、プリンタ装置において、筐体と、筐体に開閉自在に設けられたドア部と、ドア部を閉じた状態にロックするための、筐体に第１の支点軸を介して回転自在に取り付けられたドアロック機構と、ドアロック機構に、第１の支点軸と平行な第２の支点軸を介して回転自在に取り付けられたローラ圧着機構と、ドアロック機構及びローラ圧着機構間に掛け渡された弾性部材とを設け、ドアロック機構は、当該ドアロック機構の一端側に、ドア部に設けられた突起部が嵌め込まれるための切り欠き部を有し、当該ドアロック機構の他端側に、弾性部材が取り付けられた第１の取り付け部を有し、ローラ圧着機構は、当該ローラ圧着機構の一端側に、ドア部に設けられたプラテンに印画媒体を巻きつけるためのローラを回転自在に保持し、当該ローラ圧着機構の他端側に、弾性部材が取り付けられた第２の取り付け部を有し、第２の支点軸は、ドアロック機構の切り欠き部を有する一端と第１の取り付け部を有する他端との間である中央部分の所定位置と、ローラ圧着機構のローラを保持する一端と第２の取り付け部を有する他端との間である中央部分の所定位置とを回転中心とする軸であり、ドア部が閉じた状態の際には、突起部が切り欠き部に嵌め込まれると共に、ドアロック機構が、弾性部材により突起部の嵌め込みを保持する回転方向に付勢されることにより、ドア部が閉じた状態にロックされ、ローラ圧着機構が、弾性部材によりドアロック機構の回転方向と相対する回転方向に付勢されることにより、ローラがプラテンに圧着されるようにした。
【００２２】
この結果このプリンタ装置では、１つの弾性部材によって、ドアロック機構に対して突起部の嵌め込みを保持する回転方向の回転力を与えることができると共に、ローラ圧着機構に対してローラをプラテンに圧着する回転方向の回転力を与えることができる。
【００２３】
【発明の実施の形態】
以下図面について、本発明の一実施の形態を詳述する。
【００２４】
（１）本実施の形態によるプリンタ装置の構成
図１において、２０は全体として本実施の形態によるプリンタを示し、筐体２１の前面部にパワースイッチ２２と、複数の操作スイッチ２３が設けられた操作パネル２４とが配設されている。
【００２５】
また筐体２１の前面部には、パワースイッチ２２及び操作パネル２４を避けて開閉自在に、かつその支点軸に取り付けられた図示しないばねにより開く方向に付勢されるようにしてドア部２５が設けられると共に、ドア部２５の内側には、ペーパトレイ２６と、軸受け２７Ａ、２７Ｂにより回転自在に枢支されたプラテン２８とが配設されている。
【００２６】
これによりこのプリンタ２０では、ロール状プリントメディア６を、その先端部をプラテン２８を介してドア部２５の外側にまで引き出した状態でペーパトレイ２６内に置いた後ドア部２５を閉じるようにして筐体２１の内部に装填することができるようになされている。
【００２７】
一方、筐体２１の内部には、図２に示すように、前側にメカ機構部２９が収納されると共に、後側にそれぞれ電源回路や、信号処理回路及び又は制御回路等が形成された複数枚のプリント配線板３０が収納されている。
【００２８】
この場合メカ機構部２９は、図３に示すように、一対のサイドシャーシ３１Ａ、３１Ｂ、バックシャーシ３２及びトップシャーシ３３から形成されるシャーシ機構３４に、プラテン２８を回転駆動するプラテン駆動部３５と、下面にライン型のサーマルヘッド３６が取り付けられたヘッド部３７と、ドア部２５を閉じた状態にロックすると共にプレスローラ３８をプラテン２８に圧着させるドアロック及びプラテン圧着部３９と、必要時にヘッド部３７のサーマルヘッド３６をプラテン２８に圧着させたり、ドアロック及びプラテン圧着部３９を駆動したりする駆動機構部４０と、プリント後に送り出されたロール状プリントメディア６を切り離すためのカッタ（図示せず）とがそれぞれ所定位置に配設されることにより構成されている。
【００２９】
そしてこのメカ機構部２９は、印画モード時、プリント配線板３０に形成された制御回路の制御のもとに、駆動機構部４０が駆動してヘッド部３７のサーマルヘッド３６をロール状プリントメディア６を介してプラテン２８に圧着させる一方、この状態においてプリント配線板３０に形成された信号処理回路からヘッド部３７に与えられる印画データに基づいて１ライン分の印画が行われるごとに、プラテン駆動部３５がプラテン２８を回転駆動させて当該ロール状プリントメディア６を１ライン分ずつ送り出すように動作する。
【００３０】
またメカ機構部２９は、この後１枚分の印画が終了すると、上述の制御回路の制御のもとに、プラテン駆動部３５がプラテン２８を回転駆動することによりロール状プリントメディア６を所定量送り出す。このようにしてこのプリンタ２０においては、印画データに基づく画像をロール状プリントメディア６に印画し得るようなされている。
【００３１】
なおこの実施の形態の場合、図４及び図５に示すように、パワースイッチ２２は、連結棒４５を介して筐体２１内部に収納されたプリント配線板３０上の本スイッチ４６と連結されている。
【００３２】
この場合、連結棒４５においては、筐体２１内部の左上隅部に沿って位置する直線部４５Ａの後端部に当該直線部４５Ａの一部を下方向に屈曲してなる第１の屈曲部４５Ｂが設けられると共に、その下端部に当該第１の屈曲部４５Ｂを右方向（矢印ｙ2 と逆方向）に屈曲してなる第２の屈曲部４５Ｃが設けられ、かつその右端部に当該第２の屈曲部４５Ｃを下方向に屈曲してなる第３の屈曲部４５Ｄが設けられることにより構成されている。
【００３３】
そして第３の屈曲部４５Ｄには、プリント配線板３０上に実装された本スイッチ４６の操作軸４７と接続されており、かくしてパワースイッチ２２を押圧操作することによって連動させて本スイッチ４６をオン／オフさせることができるようになされている。これによりこのプリンタ２０においては、プリント配線板３０にける本スイッチ４６の前方のスペースを連結棒４５に邪魔されることなく有効に利用し得るようになされている。
【００３４】
（２）メカ機構部２９の詳細構成
ここでメカ機構部２９のプラテン駆動部３５においては、図６及び図１３に示すように、バックシャーシ３２に固定されたステッビングモータ５０を有し、当該ステッピングモータ５０の出力軸５１にギア５２が取り付けられている。
【００３５】
そしてこのギア５２は、一方のサイドシャーシ３１Ａに回転自在に取り付けられたギア５３、当該ギア５３と一体形成されたプーリ５４、タイミングベルト５５、ドア部２５（及びペーパトレイ２６）の支点軸５６に回転自在に嵌め込まれたプーリ５７、当該プーリ５７と一体形成されたギア５８、ドア部２５に回転自在に配設されたギア５９、当該ギア５９と一体形成されたプーリ６０及びタイミングベルト６１からなる減速機構部６２を介してプラテン２８と同軸に一体に設けられたプーリ６３と係合している。
【００３６】
これによりプラテン駆動部３５においては、ステッピングモータ５０の回転に応動させて、減速機構部６２を介してプラテン２８を所望の回転方向に所望角度だけ回転駆動することができるようになされている。
【００３７】
またヘッド部３７においては、図７に示すように、ヒートシンク７０の下面前端部にサーマルヘッド取付け部材７１を介してサーマルヘッド３６が取り付けられることにより構成されている。
【００３８】
この場合ヒートシンク７０の後部には、当該ヒートシンク７０の一部を下方向に屈曲した一対の屈曲部７０Ａ、７０Ｂが形成されると共に、当該屈曲部７０Ａ、７０Ｂ間には軸体７２が回転自在に架け渡され、かつ軸体７２にはその中央部に溝（以下、これを調心溝と呼ぶ）７２Ａが周設されている。
【００３９】
またリアシャーシ３２には、その一部を前方向（矢印ｘ2 ）方向に屈曲することにより形成された屈曲部でなるヘッド支え部３２Ａが形成されると共に、ヘッド支え部３２Ａにはヘッド部３７の軸体７２の調心溝７２Ａに対応させて切欠き３２ＡＸが形成されている。
【００４０】
さらにリアシャーシ３２には、ヘッド部３７のヒートシンク７０の幅方向の各端部にそれぞれ対応させて、それぞれ支点軸７３Ａ、７３Ｂを中心として回転自在にヘッド支持アーム７４Ａ、７４Ｂが取り付けられている。
【００４１】
そしてヘッド部３７は、軸体７２の調心溝７２Ａがヘッド支え部３２Ａの切欠き３２ＡＸに嵌め込まれると共に、ヒートシンク７０の下面の各端部をそれぞれ対応するヘッド支持アーム７４Ａ、７４Ｂの前部上に載せられ、かつヒートシンク７０が図２のようにトップシャーシ３３及びヒートシンク３７間に配設された圧縮コイルばね７５Ａ、７５Ｂによりヘッド支持アーム７４Ａ、７４Ｂに押しつけられるようにして筐体２１の内部に収納されている。
【００４２】
これによりこのプリンタ２０においては、各ヘッド支持アーム７４Ａ、７４Ｂの後部に下方向（矢印ｚ2 方向と逆方向）の圧力を与えることによってサーマルヘッド３６をプラテン２８から離反させた状態に維持することができ、さらにこの圧力を解除することによって圧縮コイルばね７５Ａ、７５Ｂの弾性力によりサーマルヘッド３６をプラテン２８に押し付けることができるようになされている。
【００４３】
一方、ドアロック及びプレスローラ圧着部３９においては、図８〜図１０に示すように、それぞれ全体としてコ字状に形成されたロックアーム８０及びローラアーム８１と、プレスローラ３８及び一対の圧縮コイルばね８２Ａ、８２Ｂとから構成されている。
【００４４】
この場合ロックアーム８０においては、幅方向の両端側にそれぞれ屈曲部８０Ａ、８０Ｂを有し、これら屈曲部８０Ａ、８０Ｂの後部がそれぞれ対応するサイドシャーシ３１Ａ、３１Ｂに支点軸８３Ａ、８３Ｂを介して回転自在に取り付けられるようにして筐体２１内部に配設されている。
【００４５】
またロックアーム８０の各屈曲部８０Ａ、８０Ｂの先端部には、それぞれドア部２５の対応する側面に植立されたロック用軸８４Ａ（図１）、８４Ｂ（図８）に対応させてテーパ部８０ＡＸ、８０ＢＸが設けられると共に、これらテーパ部８０ＡＸ、８０ＢＸの後側には切欠き８０ＡＹ、８０ＢＹが設けられている。
【００４６】
さらにロックアーム８０における各屈曲部８０Ａ、８０Ｂ間を架け渡す架渡し部８０Ｃのほぼ中央部には、当該架渡し部８０Ｃの一部を後方向に屈曲してなるレバー８０ＣＸが設けられており、かくしてこのレバー８０ＣＸを前方向（矢印ｘ2 ）に押すことによってロックアーム８０を全体として支点軸８３Ａ、８３Ｂを中心として矢印ｂと逆の方向に回動させることができるようになされている。
【００４７】
これに対してローラアーム８１は、幅方向の両端側にそれぞれロックアーム８０の対応する屈曲部８０Ａ、８０Ｂと平行に屈曲することにより形成された屈曲部８１Ａ、８１Ｂを有し、これら屈曲部８１Ａ、８１Ｂがそれぞれロックアーム８１の対応する屈曲部８０Ａ、８０Ｂに支点軸８５Ａ、８５Ｂを中心として回転自在に固定され、かつ通常時には各屈曲部８１Ａ、８１Ｂの全部後端がサイドシャーシ３１Ａ、３１Ｂの一部を内側に屈曲してなる突起３１ＡＸ、３１ＢＸにより支えられるようにして筐体２１内部に配設されている。
【００４８】
またローラアーム８１の各屈曲部８１Ａ、８１Ｂ間を架け渡す架渡し部８１Ｃには、当該架渡し部８１Ｃの一部を上方向に屈曲してなる一対の軸受け８１ＣＸ、８１ＣＹが所定距離を介して設けられると共に、これら軸受け８１ＣＸ、８１ＣＹにより回転自在に枢支されるようにしてローラアーム８０が回転自在に配設されている。
【００４９】
さらにロックアーム８０の各屈曲部８０Ａ、８０Ｂ及びローラアーム８１の対応する屈曲部８１Ａ、８１Ｂ間には圧縮コイルばね８２Ａ、８２Ｂが掛け渡されており、かくしてこれら圧縮コイルばね８２Ａ、８２Ｂの弾性力によってロックアーム８０に対して常にその支点軸８３Ａ、８３Ｂを中心とする矢印ｂ方向の回転力を与えると共に、ローラアーム８１に対して常にその支点軸８５Ａ、８５Ｂを中心とする矢印ｃ方向の回転力を与えることができるようになされている。
【００５０】
かくするにつきドアロック及びプレスローラ圧着部３９においては、ユーザによりドア部２５が押されて閉じられる際に、まずドア部２５の各ロック用軸８４Ａ、８４Ｂが図１１（Ａ）のようにそれぞれロックアーム８０の対応する屈曲部８０Ａ、８０Ｂのテーパ部８０ＡＸ、８０ＢＸの先端部と接触し、この後ドア部２５が閉じられてゆくにつれてこれらロック用軸８４Ａ、８４Ｂが図１１（Ｂ）のようにそれぞれロックアーム８０の対応する屈曲部８０Ａ、８０Ｂを矢印ｚ2 と逆方向に押し下げながらそのテーパ部８０ＡＸ、８０ＢＸ上を摺動する。
【００５１】
そしてこの後ロック用軸８４Ａ、８４Ｂがロックアーム８０の切欠き８０ＡＹ、８０ＢＹ上にまで到達すると、圧縮コイルばね８２Ａ、８２Ｂの弾性力によってロックアーム８０が矢印ｂ（図１０（Ｂ））方向に回転してロック用軸８４Ａ、８４Ｂがロックアーム８０の切欠き８０ＡＹ、８０ＢＹに入り込み、当該切欠き８０ＡＹ、８０ＢＹにおいてロック用軸８４Ａ、８４Ｂを保持することにより、ドア部２５を閉じた状態にロックすることができるようになされている。
【００５２】
またこの際ローラアーム８０は、ロック用軸８４Ａ、８４Ｂによってロックアーム８１の屈曲部８１Ａ、８１Ｂが下方向に押し下げられるときに、これに応動して屈曲部８０Ａ、８０Ｂがサイドシャーシ３１Ａ、３１Ｂの突起部３１ＡＸ、３１ＢＸを支点とし、その支点軸８５Ａ、８５Ｂを力点として矢印ｃと逆方向に回転（又はプレスローラ３８がロール状プリントメディア６の表面に沿って移動することにより図１１（Ｂ）のようにローラアーム８０の屈曲部８０Ａ、８０Ｂが矢印ｃ方向に回転）する。
【００５３】
そしてこの後ドア部２５の各ロック用軸８４Ａ、８４Ｂがそれぞれロックアーム８１の対応する屈曲部８１Ａ、８１Ｂの切欠き８０ＡＹ、８０ＢＹに嵌まり込んでこれら屈曲部８１Ａ、８１Ｂが矢印ｂ方向に回転すると、これに応動してローラアーム８０の屈曲部８０Ａ、８０Ｂがサイドシャーシ３１Ａ、３１Ｂの突起部３１ＡＸ、３１ＢＸを支点とし、その支点軸８５Ａ、８５Ｂを力点として矢印ｃ方向に回転することにより、図１１（Ｃ）のようにプレスローラ３８が元の位置に戻って圧縮コイルばね８２Ａ、８２Ｂの弾性力によってプラテン２８に圧着するようになされている。
【００５４】
さらにドアロック及びローラ圧着部３９においては、このようにドア部２５が閉じた状態からロックアーム８０のレバー８０ＣＸが前方向に押されると、図１２（Ａ）に示すように、ロックアーム８０が全体として前方向に回転することによりドア部２５のロック用軸８４Ａ、８４Ｂがロックアーム８０の対応する屈曲部８０Ａ、８０Ｂの切欠き８０ＡＹ、８０ＢＹから抜け出し、この後これらロック用軸８４Ａ、８４Ｂがロックアーム８０の対応する屈曲部８０Ａ、８０Ｂのテーパ部８０ＡＸ、８０ＢＸを摺動するようにドア部２５が上述の図示しないばねの弾性力によって回転することにより、当該ドア部２５を開くことができるようになされている。
【００５５】
またこのときローラアーム８１は、その屈曲部８１Ａ、８１Ｂがそれぞれロックアーム８０の回転に伴ってサイドシャーシ３１Ａ、３１Ｂの突起部３１ＡＸ、３１ＢＸを支点とし、支点軸８３Ａ、８３Ｂを力点として矢印ｃと逆方向に回転するようになされ、これにより、プレスローラ３８をプラテン２８から離反させてドア部２５の回転を妨げないようになされている。
【００５６】
なおこの実施の形態の場合、ローラアーム８１の各屈曲部８１Ａ、８１Ｂの後側下端には、ばね掛け部８１ＡＸ、８１ＢＸが設けられると共に、ロックアーム８０の各屈曲部８０Ａ、８０Ｂの後部下端近傍には、一対のばね掛け用の穴（以下、これをばね掛け用穴と呼ぶ）８０ＡＸ1 及び８０ＡＸ2 、８０ＢＸ1 及び８０ＢＸ2 が矢印ｚ2 方向と平行に並設されており、ローラアーム８１のばね掛け部８１ＡＸ、８１ＢＸ及びロックアーム８０の一方のばね掛け用穴８０ＡＸ1 又は８０ＡＸ2 、８０ＢＸ1 又は８０ＢＸ2 とを掛け渡すように、各圧縮コイルばね８２Ａ、８２Ｂが配置されている。
【００５７】
これによりこのドアロック及びローラ圧着部３９においては、ロックアーム８０に対する圧縮コイルばね８２Ａ、８２Ｂの取付け位置を自在に変更することができると共に、当該取付け位置を変更することによってドアロック用のばね圧とローラ圧着用のばね圧とを一括して変更することができるようになされている。
【００５８】
一方、駆動機構部４０においては、図１３に示すように、バックシャーシ３２に固定されたモータ９０を有し、当該モータ９０の出力軸に取り付けられたギア９１がタイミングベルト９２及び複数のギア９３〜９７を順次介してギア９８と歯合している。
【００５９】
このときギア９８には卵状のカム９９が一体形成されており、かくしてモータ９０を駆動することによってこのカム９９を回転駆動することができるようになされている。
【００６０】
これにより駆動機構部４０においては、通常時には図１１（Ａ）〜図１１（Ｃ）のように、ドアロック及びローラ圧着部３９のロックアーム８０のレバー８０ＣＸをカム９９によって前方向に押圧しないようにカム９９を位置させる一方、必要時にはモータ９０が駆動してカム９９を矢印ｘ2 方向に回転させてドアロック及びローラ圧着部３９のロックアーム８０のレバー８０ＣＸをカム９９によって前方向に押圧することにより、ドア部２５を開かせることができるようになされている。
【００６１】
またギア９８は、当該ギア９８を挿通するシャフト１００に固定され、これによりギア９８と一体にシャフト１００を回転駆動することができるようになされている。そしてこのシャフト１００の両端部には、それぞれ各ヘッド支持レバー７４Ａ、７４Ｂの後端部に設けられたカム受け７４ＡＸ、７４ＢＸにそれぞれ対応させて、図１４に示すような中心角がほぼ90〔°〕の扇形状のカム１０１Ａ、１０１Ｂが固定されている。
【００６２】
これにより駆動機構部４０においては、印画動作時には図１４（Ａ）のようにカム１０１Ａ、１０１Ｂの平坦部１０１ＡＸ、１０１ＢＸをそれぞれヘッド支持レバー７４Ａ、７４Ｂのカム受け７４ＡＸ、７４ＢＸと接触させるようにしてヘッド部３７のサーマルヘッド３６をプラテン２８に押し付けさせる一方、これ以外のときにはカム１０１Ａ、１０１Ｂの径の大きい部位１０１ＡＹ、１０１ＢＹの周側面をヘッド支持レバー７４Ａ、７４Ｂのカム受け部７４ＡＸ、７４ＢＸを接触させるようにしてヘッド部３７をサーマルヘッド３６をプラテン２８から離反させた状態に支持することができるようになされている。
【００６３】
（３）本実施の形態の動作及び効果
以上の構成において、このプリンタ２０では、ドア部２５が開いた状態から閉じられる際に、ドア部２５のロック用軸８４Ａ、８４Ｂがドアロック及びローラ圧着部３９のロックアーム８０の対応する屈曲部８０Ａ、８０Ｂのテーパ部８０ＡＸ、８０ＢＸを下方向に押し下げながら摺動し、この後ロック用軸８４Ａ、８４Ｂがロックアーム８０の対応する屈曲部８０Ａ、８０Ｂの切欠き８０ＡＹ、８０ＢＹ上にまで到達すると、圧縮コイルばね８２Ａ、８２Ｂの弾性力によってロックアーム８０が矢印ｂ方向に回転してロック用軸８４Ａ、８４Ｂが対応する切欠き８０ＡＹ、８０ＢＹに嵌まり込み、当該切欠き８０ＡＹ、８０ＢＹにおいてロック用軸８４Ａ、８４Ｂが保持されることによりドア部２５が閉じた状態にロックされる。
【００６４】
またこのときドアロック及びローラ圧着部３９のローラアーム８１が圧縮コイルばね８２Ａ、８２Ｂの弾性力によって矢印ｃ方向に回転することによって、プレスローラ３８がプラテン２８に圧着される。
【００６５】
従ってこのプリンタ２０では、ドアロック用及びプラテン２８に対するプレスローラ３８の圧着用として、合計２つの圧縮コイルばね８２Ａ、８２Ｂだけしか必要とせず、その分図１５〜図１８について上述した従来のプリンタ１に比べて構成を簡易化すると共に、組立を容易化することができる。
【００６６】
またこのプリンタ２０では、ロックアーム８０に対して圧縮コイルばね８２Ａ、８２Ｂを掛ける位置を変えるだけでドアロックのためのばね圧と、プラテン２８にプレスローラ３８を圧着するためのばね圧とを一括して変化させることができるため、これらばね圧の調整作業が容易であり、その分メンテナンス性を向上させることができる。
【００６７】
以上の構成によれば、ロックアーム８０及びローラアーム８１間に圧縮コイルばね８２Ａ、８２Ｂを掛け渡すようにしてロックアーム８０にドアロック用のばね圧を与えると共に、ローラアーム８１にプラテン２８に対してプレスローラ３８を圧着するためのばね圧を与えるようにしたことにより、全体としての構成を簡易化することができ、かくして構成を簡易化し得るプリンタを実現できる。
【００６８】
（４）他の実施の形態
なお上述の実施の形態においては、本発明をプリントメディアとしてロール状プリントメディア６を用いるようになされたプリンタ２０に適用するようにした場合について述べたが、本発明はこれに限らず、この他種々のプリンタ装置に広く適用することができる。
【００６９】
また上述の実施の形態においては、ドア部２５の閉動作に応動して第１の回転方向（矢印ｂ方向）に回転し、ドア部２５を閉じた状態にロックするドアロック機構としてのロックアーム８０を図８〜図１０のように形成するようにした場合について述べたが、本発明はこれに限らず、この他種々の構成を広く適用することができる。
【００７０】
さらに上述の実施の形態においては、ドア部２５の閉動作に応動して第１の回転方向（矢印ｂ方向）と相対する第２の回転方向（矢印ｃ方向）に回転することによりローラ３８をプラテン２８に圧着させるローラ圧着機構としてのローラアーム８１を図８〜図１０のように構成するようにした場合について述べたが、本発明はこれに限らず、この他種々の構成を広く適用することができる。
【００７１】
またこの場合において、上述の実施の形態においては、ローラ圧着機構としてのローラアーム８１をロックアーム８０の屈曲部８０Ａ、８０Ｂに回転自在に取り付けるようにした場合について述べたが、本発明はこれに限らず、ローラアーム８１をロックアーム８０の屈曲部８０Ａ、８０Ｂ以外の場所に回転自在に取り付けるようにしても良い。
【００７２】
さらに上述の実施の形態においては、ロックアーム８０に矢印ｂ方向の回転力を生じるように付勢すると共に、ローラアーム８１にこれと相対する矢印ｃ方向の回転力を生じるように付勢する弾性部材として圧縮コイルばね８２Ａ、８２Ｂを適用するようにした場合について述べたが、本発明はこれに限らず、圧縮コイルばね以外の形態のばねやゴム等など、この他種々の弾性部材を広く適用することができる。
【００７３】
さらに上述の実施の形態においては、ロックアーム８０に対する圧縮コイルばね８２Ａ、８２Ｂの取付け位置を変更できる（すなわちばね掛け用穴８０ＡＸ1 及び８０ＡＸ2 、８０ＢＸ1 及び８０ＢＸ2 を複数設ける）ようにした場合について述べたが、本発明はこれに限らず、ローラアーム８１に対する圧縮コイルばね８２Ａ、８２Ｂの取付け位置をも変更できるようにしても良い。
【００７４】
【発明の効果】
上述のように本発明によれば、ドアロック及びローラ圧着装置において、プリンタの筐体に開閉自在に設けられたドア部を閉じた状態にロックするための、当該筐体に第１の支点軸を介して回転自在に取り付けられたドアロック機構と、ドアロック機構に、第１の支点軸と平行な第２の支点軸を介して回転自在に取り付けられたローラ圧着機構と、ドアロック機構及びローラ圧着機構間に掛け渡された弾性部材とを設け、ドアロック機構は、当該ドアロック機構の一端側に、ドア部に設けられた突起部が嵌め込まれるための切り欠き部を有し、当該ドアロック機構の他端側に、弾性部材が取り付けられた第１の取り付け部を有し、ローラ圧着機構は、当該ローラ圧着機構の一端側に、ドア部に設けられたプラテンに印画媒体を巻きつけるためのローラを回転自在に保持し、当該ローラ圧着機構の他端側に、弾性部材が取り付けられた第２の取り付け部を有し、第２の支点軸は、ドアロック機構の切り欠き部を有する一端と第１の取り付け部を有する他端との間である中央部分の所定位置と、ローラ圧着機構のローラを保持する一端と第２の取り付け部を有する他端との間である中央部分の所定位置とを回転中心とする軸であり、ドア部が閉じた状態の際には、突起部が切り欠き部に嵌め込まれると共に、ドアロック機構が、弾性部材により突起部の嵌め込みを保持する回転方向に付勢されることにより、ドア部が閉じた状態にロックされ、ローラ圧着機構が、弾性部材によりドアロック機構の回転方向と相対する回転方向に付勢されることにより、ローラがプラテンに圧着されるようにしたことにより、１つの弾性部材によって、ドアロック機構に対して突起部の嵌め込みを保持する回転方向の回転力を与えることができると共に、ローラ圧着機構に対してローラをプラテンに圧着する回転方向の回転力を与えることができ、かくして構成を簡易化させ得るドアロック及びローラ圧着装置を実現できる。
【００７５】
また本発明によれば、プリンタ装置において、筐体と、筐体に開閉自在に設けられたドア部と、ドア部を閉じた状態にロックするための、筐体に第１の支点軸を介して回転自在に取り付けられたドアロック機構と、ドアロック機構に、第１の支点軸と平行な第２の支点軸を介して回転自在に取り付けられたローラ圧着機構と、ドアロック機構及びローラ圧着機構間に掛け渡された弾性部材とを設け、ドアロック機構は、当該ドアロック機構の一端側に、ドア部に設けられた突起部が嵌め込まれるための切り欠き部を有し、当該ドアロック機構の他端側に、弾性部材が取り付けられた第１の取り付け部を有し、ローラ圧着機構は、当該ローラ圧着機構の一端側に、ドア部に設けられたプラテンに印画媒体を巻きつけるためのローラを回転自在に保持し、当該ローラ圧着機構の他端側に、弾性部材が取り付けられた第２の取り付け部を有し、第２の支点軸は、ドアロック機構の切り欠き部を有する一端と第１の取り付け部を有する他端との間である中央部分の所定位置と、ローラ圧着機構のローラを保持する一端と第２の取り付け部を有する他端との間である中央部分の所定位置とを回転中心とする軸であり、ドア部が閉じた状態の際には、突起部が切り欠き部に嵌め込まれると共に、ドアロック機構が、弾性部材により突起部の嵌め込みを保持する回転方向に付勢されることにより、ドア部が閉じた状態にロックされ、ローラ圧着機構が、弾性部材によりドアロック機構の回転方向と相対する回転方向に付勢されることにより、ローラがプラテンに圧着されるようにしたことにより、１つの弾性部材によって、ドアロック機構に対して突起部の嵌め込みを保持する回転方向の回転力を与えることができると共に、ローラ圧着機構に対してローラをプラテンに圧着する回転方向の回転力を与えるようにすることができ、かくして構成を簡易化させ得るプリンタ装置を実現できる。
【図面の簡単な説明】
【図１】本実施の形態によるプリンタの構成を示す斜視図である。
【図２】プリンタの内部構成を示す略線的な透視図である。
【図３】メカ機構部の構成を示す分解斜視図である。
【図４】連結棒の構成を示す略線的な透視図である。
【図５】連結棒の構成を示す側面図である。
【図６】プラテン駆動部の構成を示す側面図である。
【図７】ヘッド部の構成を示す略線的な斜視図である。
【図８】ドアロック及びローラ圧着部の構成を示す略線的な斜視図である。
【図９】ドアロック及びローラ圧着部の構成を示す上面図である。
【図１０】ドアロック及びローラ圧着部の構成を示す正面図及び側面図である。
【図１１】ドア部の閉動作に伴うドアロック及びローラ圧着部の動作の説明に供する略線的な側面図である。
【図１２】ドア部の開動作に伴うドアロック及びローラ圧着部の動作の説明に供する略線的な側面図である。
【図１３】駆動機構部の構成を示す略線的な斜視図である。
【図１４】プラテンに対するサーマルヘッドの圧着及び離反の説明に供する略線的な側面図である。
【図１５】従来のプリンタにおけるドアロック及びローラ圧着部の構成を示す略線的な側面図である。
【図１６】従来のプリンタにおけるドアロック及びローラ圧着部の構成を示す略線的な側面図である。
【図１７】従来のプリンタにおけるドアロック及びローラ圧着部の構成を示す略線的な側面図である。
【図１８】従来のプリンタにおける連結棒の構成を示す略線的な透視図である。
【図１９】従来のプリンタにおける連結棒の構成を示す略線的な透視図である。
【符号の説明】
２０……プリンタ、２５……ドア部、２８……プラテン、３１Ａ、３１Ｂ……サイドシャーシ、３１ＡＸ、３１ＢＸ……突起部、３８……プレスローラ、３９……ドアロック及びローラ圧着部、４５……連結棒、８０……ロックアーム、８１Ａ、８１Ｂ……屈曲部、８０ＡＸ、８０ＢＸ……テーパ部、８０ＡＹ、８０ＢＹ……切欠き、８０ＣＸ……レバー、８１……ローラアーム、８１Ａ、８１Ｂ……屈曲部、８２Ａ、８２Ｂ……圧縮コイルばね。
【図１】
0004517254.tif 000002
【図２】
0004517254.tif 000003
【図３】
0004517254.tif 000004
【図４】
0004517254.tif 000005
【図５】
0004517254.tif 000006
【図６】
0004517254.tif 000007
【図７】
0004517254.tif 000008
【図８】
0004517254.tif 000009
【図９】
0004517254.tif 000010
【図１０】
0004517254.tif 000011
【図１１】
0004517254.tif 000012
【図１２】
0004517254.tif 000013
【図１３】
0004517254.tif 000014
【図１４】
0004517254.tif 000015
【図１５】
0004517254.tif 000016
【図１６】
0004517254.tif 000017
【図１７】
0004517254.tif 000018
【図１８】
0004517254.tif 000019
【図１９】
0004517254.tif 000020